(57)【要約】      （修正有）【課題】封函テープを用いることなく箱体の蓋部又は底部を容易かつ確実に形成することができる箱用シートを提供する。【解決手段】箱用シート１０は、左右方向に交互に連接される一対の第１側面パネル１ａ、１ｂ及び一対の第２側面パネル２ａ、２ｂと、一対の第１側面パネルの上下方向の一方側の側縁から延出する一対の蓋内フラップ３ａ、３ｂと、一方の第２側面パネルの一方側の側縁から延出する第１蓋外フラップ４ａと、他方の第２側面パネルの一方側の側縁から延出する第２蓋外フラップ４ｂとを備え、第１蓋外フラップが、その先端縁に凹部１３を有し、第２蓋外フラップが、凹部内で第１蓋外フラップの内側に挿入される凸部１４を画定する、先端縁から基端側に延びる一対のスリット１４ａと、一対のスリットの中間部分から第２蓋外フラップの側縁に亘って延びる一対の折り曲げ容易線１５とを有する。【選択図】図１
0003233894.tif 000002
【実用新案登録請求の範囲】
【請求項１】
箱体に組み立てられる箱用シートであって、
左右方向に交互に連接され、組立状態で互いに対向する一対の第１側面パネル及び一対の第２側面パネルと、
上記一対の第１側面パネルの上下方向の一方側の側縁から延出し、内側に折り曲げられる一対の内フラップと、
一方の上記第２側面パネルの上記一方側の側縁から延出し、上記一対の内フラップの外面側に折り重ねられる第１外フラップと、
他方の上記第２側面パネルの上記一方側の側縁から延出し、上記第１外フラップの外面側に折り重ねられる第２外フラップと
を備え、
上記第１外フラップが、その先端縁に凹部を有しており、
上記第２外フラップが、上記凹部内で上記第１外フラップの内側に挿入される凸部を画定するようにその先端縁から基端側に延びる一対のスリットと、上記一対のスリットの中間部分から上記第２外フラップの側縁に亘って延びる一対の折り曲げ容易線とを有する箱用シート。
【請求項２】
上記第２外フラップが上記第１外フラップの外面側に折り重ねられた状態で、上記一対の折り曲げ容易線が、上記第１外フラップの先端縁上に位置する請求項１に記載の箱用シート。
【請求項３】
上記第２外フラップが上記第１外フラップの外面側に折り重ねられた状態で、上記第１外フラップの先端縁と上記スリットの先端との間隔が、シート厚さの３倍以上７倍以下である請求項１又は請求項２に記載の箱用シート。
【請求項４】
上記スリットの先端に、このスリットと交差する方向に延びる破断防止用の切込みが設けられている請求項１、請求項２又は請求項３に記載の箱用シート。
【請求項５】
上記折り曲げ容易線が、複数の切込みとシートの内面を筋押しして形成された複数の罫線とが交互に配置されたリード罫線である請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この段ボールシートとしては、左右方向に交互に連接される一対の第１側面パネル及び一対の第２側面パネルと、上記第１側面パネル及び上記第２側面パネルの上縁からそれぞれ延出する上フラップと、上記第１側面パネル及び上記第２側面パネルの下縁からそれぞれ延出する下フラップとを有し、Ａ式（ミカン箱タイプ）の箱体に組み立て可能な構成のものが公知である。通常、Ａ式の箱体は、対向する上フラップ同士の合わせ目に封函テープを貼着することで蓋部が組み立てられ、対向する下フラップ同士の合わせ目に封函テープを貼着することで底部が組み立てられる。
【０００３】
一方で、封函テープを用いずに蓋部又は底部を組み立て可能な段ボールシートも提案されている（特許文献１参照）。
【０００４】
特許文献１には、１組の対向側板２、３の下端に連接される底板形成用フラップ６、７のうち一方の底板形成用フラップ６の突き合わせ部に凸状の差し込み片１３が形成され、他方の底板形成用フラップ７の突き合わせ部に差し込み片１３が差し込まれる凹状の切り込み部１４が形成された構成が記載されている。特許文献１には、差し込み片１３が切り込み部１４の内面側に差し込まれ、差し込み片１３の両側に位置する肩部２１が切り込み部１４の両側に位置する肩部２２の外面側に重なることで下側底板部が組み立てられることが記載されている。
【先行技術文献】
【特許文献】
【０００５】
【特許文献１】実用新案登録第３１８２１０３号公報
【考案の概要】
【考案が解決しようとする課題】
【０００６】
しかしながら、特許文献１に記載されている下側底板部は、底板形成用フラップ６、７同士の係合を十分に保持し難く、例えば上方から荷重が加えられた場合に差し込み片１３が切り込み部１４から抜け出るおそれがある。
【０００７】
本考案は、このような不都合に鑑みてなされたものであり、封函テープを用いることなく箱体の蓋部又は底部を容易かつ確実に形成することができる箱用シートを提供することを目的とする。
【課題を解決するための手段】
【０００８】
上記課題を解決するためになされた本考案の一態様に係る箱用シートは、箱体に組み立てられる箱用シートであって、左右方向に交互に連接され、組立状態で互いに対向する一対の第１側面パネル及び一対の第２側面パネルと、上記一対の第１側面パネルの上下方向の一方側の側縁から延出し、内側に折り曲げられる一対の内フラップと、一方の上記第２側面パネルの上記一方側の側縁から延出し、上記一対の内フラップの外面側に折り重ねられる第１外フラップと、他方の上記第２側面パネルの上記一方側の側縁から延出し、上記第１外フラップの外面側に折り重ねられる第２外フラップとを備え、上記第１外フラップが、その先端縁に凹部を有しており、上記第２外フラップが、上記凹部内で上記第１外フラップの内側に挿入される凸部を画定するようにその先端縁から基端側に延びる一対のスリットと、上記一対のスリットの中間部分から上記第２外フラップの側縁に亘って延びる一対の折り曲げ容易線とを有する。
【考案の効果】
【０００９】
本考案の一態様に係る箱用シートは、封函テープを用いることなく箱体の蓋部又は底部を容易かつ確実に形成することができる。
【図面の簡単な説明】
【００１０】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の蓋部を組み立てる途中の状態を示す模式的斜視図である。
【図４】図４は、図２の箱体の蓋部を組み立てる図３の次の状態を示す模式的斜視図である。
【図５】図５は、図２の箱体の蓋部を示す模式的平面図である。
【図６】図６は、図２の箱体の蓋部を示す模式的側面図である。
【図７】図７は、図５の箱体のＶＩＩ−ＶＩＩ線断面図である。
【考案を実施するための形態】
【００１１】
［本考案の実施形態の説明］
最初に本考案の実施態様を列記して説明する。
【００１２】
本考案の一態様に係る箱用シートは、箱体に組み立てられる箱用シートであって、左右方向に交互に連接され、組立状態で互いに対向する一対の第１側面パネル及び一対の第２側面パネルと、上記一対の第１側面パネルの上下方向の一方側の側縁から延出し、内側に折り曲げられる一対の内フラップと、一方の上記第２側面パネルの上記一方側の側縁から延出し、上記一対の内フラップの外面側に折り重ねられる第１外フラップと、他方の上記第２側面パネルの上記一方側の側縁から延出し、上記第１外フラップの外面側に折り重ねられる第２外フラップとを備え、上記第１外フラップが、その先端縁に凹部を有しており、上記第２外フラップが、上記凹部内で上記第１外フラップの内側に挿入される凸部を画定するようにその先端縁から基端側に延びる一対のスリットと、上記一対のスリットの中間部分から上記第２外フラップの側縁に亘って延びる一対の折り曲げ容易線とを有する。
【００１３】
当該箱用シートは、上記第２外フラップが、その先端縁から基端側に延びる一対のスリットによって画定される凸部を有している。つまり、上記第２外フラップには、上記凸部と、上記一対のスリットを介して上記凸部の両側に配置される一対の舌片とが設けられている。当該箱用シートは、上記凸部を上記第１外フラップの先端縁に設けられている凹部内で上記第１外フラップの内側に挿入することで、箱体の蓋部又は底部を形成することができる。この際、当該箱用シートは、上記第２外フラップが、上記凸部の両側に上記一対の舌片を有しているので、上記第１外フラップの先端部を上記凸部と上記一対の舌片とで挟み込むことができる。また、当該箱用シートは、上記第２外フラップが、上記一対のスリットの中間部分から上記第２外フラップの側縁に亘って延びる一対の折り曲げ容易線を有しているので、上記凸部を上記第１外フラップの内側に挿入する際に、上記舌片が上記凸部の挿入の妨げになり難い。従って、当該箱用シートは、封函テープを用いることなく箱体の蓋部又は底部を容易かつ確実に形成することができる。
【００１４】
上記第２外フラップが上記第１外フラップの外面側に折り重ねられた状態で、上記一対の折り曲げ容易線が、上記第１外フラップの先端縁上に位置するとよい。このように、上記第２外フラップが上記第１外フラップの外面側に折り重ねられた状態で、上記一対の折り曲げ容易線が、上記第１外フラップの先端縁上に位置することによって、上記凸部を上記第１外フラップの内側により容易に挿入することができる。
【００１５】
上記第２外フラップが上記第１外フラップの外面側に折り重ねられた状態で、上記第１外フラップの先端縁と上記スリットの先端との間隔が、シート厚さの３倍以上７倍以下であるとよい。このように、上記第２外フラップが上記第１外フラップの外面側に折り重ねられた状態で、上記第１外フラップの先端縁と上記スリットの先端との間隔が、シート厚さの３倍以上７倍以下であることによって、上記第１外フラップの先端部を上記凸部と上記一対の舌片とによって容易かつ確実に挟み込みやすい。
【００１６】
上記スリットの先端に、このスリットと交差する方向に延びる破断防止用の切込みが設けられているとよい。このように、上記スリットの先端に、このスリットと交差する方向に延びる破断防止用の切込みが設けられていることによって、上記凸部を上記第１外フラップの内側に挿入する際に、上記スリットに連続する部分が意図せず破断することを抑制することができる。
【００１７】
上記折り曲げ容易線が、複数の切込みとシートの内面を筋押しして形成された複数の罫線とが交互に配置されたリード罫線であるとよい。このように、上記折り曲げ容易線が、複数の切込みとシートの内面を筋押しして形成された複数の罫線とが交互に配置されたリード罫線であることによって、上記凸部を上記第１外フラップの内側により容易に挿入することができる。
【００１８】
なお、本考案において、「左右方向」とは、箱用シートを組み立ててなる箱体において想定される一般的な使用態様における水平方向をいい、「上下方向」とは、上記左右方向を基準とする上下方向を意味する。「内」とは、箱用シートを組み立ててなる箱体における「内」を意味し、「外」とは上記箱体における「外」を意味する。「第２外フラップが第１外フラップの外面側に折り重ねられた状態で、一対の折り曲げ容易線が、第１外フラップの先端縁上に位置する」とは、第２外フラップが第１外フラップの外面側に折り重ねられた状態における平面視で、一対の折り曲げ容易線と、第１外フラップの先端縁との間隔が５ｍｍ以下であることをいう。また、この間隔の上限としては、３ｍｍが好ましく、１ｍｍがより好ましい。「第２外フラップが第１外フラップの外面側に折り重ねられた状態で、第１外フラップの先端縁とスリットの先端との間隔が、シート厚さの３倍以上７倍以下である」とは、第２外フラップが第１外フラップの外面側に折り重ねられた状態における平面視で、第１外フラップの先端縁とスリットの先端との間隔が、シート厚さの３倍以上７倍以下であることをいう。
【００１９】
［本考案の実施形態の詳細］
以下、適宜図面を参照しつつ、本考案の実施の形態を詳説する。
【００２０】
［箱用シート］
図１の箱用シート１０は、箱体に組み立て可能であり、具体的には図２の箱体２０に組み立てられる。当該箱用シート１０は、左右方向に交互に連接され、組立状態で互いに対向する一対の第１側面パネル１ａ、１ｂ及び一対の第２側面パネル２ａ、２ｂと、一対の第１側面パネル１ａ、１ｂの上縁（上方の側縁）から延出し、内側に折り曲げられる一対の蓋内フラップ３ａ、３ｂと、一方の第２側面パネル２ａの上縁から延出し、一対の蓋内フラップ３ａ、３ｂの外面側に折り重ねられる第１蓋外フラップ４ａと、他方の第２側面パネル２ｂの上縁から延出し、第１蓋外フラップ４ａの外面側に折り重ねられる第２蓋外フラップ４ｂとを備える。また、当該箱用シート１０は、一対の第１側面パネル１ａ、１ｂの下縁（下方の側縁）から延出し、内側に折り曲げられる一対の底内フラップ５ａ、５ｂと、一方の第２側面パネル２ａの下縁から延出し、一対の底内フラップ５ａ、５ｂの外面側に折り重ねられる第１底外フラップ６ａと、他方の第２側面パネル２ｂの下縁から延出し、第１底外フラップ６ａの外面側に折り重ねられる第２底外フラップ６ｂと、左右方向外側（図１では左側）に配置されている第２側面パネル２ａの左右方向外側の側縁から延出する継代７とを備える。なお、図１において、太い実線はシートを切断して形成される切断線を示し、細い実線はシートの片面を筋押しして形成される罫線を示す。
【００２１】
当該箱用シート１０は、１枚のシートから構成されている。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（側面パネル）
一対の第１側面パネル１ａ、１ｂ及び一対の第２側面パネル２ａ、２ｂは、継代７によって無端状に接続されることで箱体２０の胴部（四角筒状部）に組み立てられる。
【００２３】
一対の第１側面パネル１ａ、１ｂはそれぞれ略矩形状である。一対の第１側面パネル１ａ、１ｂ同士は略同一形状である。第１側面パネル１ａ、１ｂのサイズは、箱体２０に収容する物品の大きさや数量等に基づいて設定可能である。第１側面パネル１ａ、１ｂの左右方向長さとしては、例えば１０ｃｍ以上４０ｃｍ以下とすることができる。第１側面パネル１ａ、１ｂの上下方向長さとしては、例えば５ｃｍ以上３０ｃｍ以下とすることができる。
【００２４】
一対の第２側面パネル２ａ、２ｂはそれぞれ略矩形状である。一対の第２側面パネル２ａ、２ｂ同士は略同一形状である。第２側面パネル２ａ、２ｂのサイズは、箱体２０に収容する物品の大きさや数量等に基づいて設定可能である。第２側面パネル２ａ、２ｂの左右方向長さは、第１側面パネル１ａ、１ｂの左右方向長さよりも大きくてもよい。この場合、第１側面パネル１ａ、１ｂは、箱体２０における幅面を構成する幅面パネルとして設けられ、第２側面パネル２ａ、２ｂは、箱体２０における長さ面を構成する長さ面パネルとして設けられる。第２側面パネル２ａ、２ｂの左右方向長さとしては、例えば１５ｃｍ以上５０ｃｍ以下とすることができる。第２側面パネル２ａ、２ｂの上下方向長さとしては、第１側面パネル１ａ、１ｂの上下方向長さと同じとすることができる。
【００２５】
一対の第１側面パネル１ａ、１ｂ及び一対の第２側面パネル２ａ、２ｂには、左右方向の両端に亘って破断容易線１１ａ、１１ｂ、１２ａ、１２ｂが延びている。破断容易線１１ａ、１１ｂ、１２ａ、１２ｂは全体として直線状に延びている。破断容易線は、一対の第１側面パネル１ａ、１ｂ及び一対の第２側面パネル２ａ、２ｂの上下方向における中央部分に配置されている。これにより、箱体２０は、破断容易線１１ａ、１１ｂ、１２ａ、１２ｂを破断することで、胴部で上下に２分割できるよう構成されている。すなわち、箱体２０は、破断容易線１１ａ、１１ｂ、１２ａ、１２ｂの破断によって、一対のトレイに分割できるよう構成されている。
【００２６】
（蓋内フラップ）
一対の蓋内フラップ３ａ、３ｂはそれぞれ略矩形状である。蓋内フラップ３ａ、３ｂの幅は、第１側面パネル１ａ、１ｂの左右方向長さと略等しい。一対の蓋内フラップ３ａ、３ｂの延出方向長さは、後述する第１蓋外フラップ４ａ及び第２蓋外フラップ４ｂの延出方向長さと同じとすることができる。
【００２７】
（第１蓋外フラップ）
第１蓋外フラップ４ａは略矩形状である。第１蓋外フラップ４ａの幅は、第２側面パネル２ａの左右方向長さと略等しい。第１蓋外フラップ４ａは、その先端縁に凹部１３を有する。
【００２８】
凹部１３は、コ字状である。凹部１３は、第１蓋外フラップ４ａの幅方向の中央部分に設けられている。
【００２９】
凹部１３の深さＤの下限としては、１．０ｃｍが好ましく、１．２ｃｍがより好ましい。一方、凹部１３の深さＤの上限としては、２．５ｃｍが好ましく、２．０ｃｍがより好ましい。上記深さＤが上記下限に満たないと、後述する凸部１４を第１蓋外フラップ４ａの内側に挿入し難くなるおそれがある。逆に、上記深さＤが上記上限を超えると、第１蓋外フラップ４ａの内側に挿入された状態で、凸部１４が意図せず第１蓋外フラップ４ａから抜け出るおそれが高くなる。
【００３０】
第１蓋外フラップ４ａの基端縁と凹部１３との間隔Ｌ１は、特に限定されるものではないが、第１側面パネル１ａ、１ｂの左右方向長さと等しくてもよい。
【００３１】
（第２蓋外フラップ）
第２蓋外フラップ４ｂは略矩形状である。第２蓋外フラップ４ｂは、凹部１３内で第１蓋外フラップ４ａの内側に挿入される凸部１４を画定するようにその先端縁から基端側に延びる一対のスリット１４ａと、一対のスリット１４ａの中間部分から第２蓋外フラップ４ｂの側縁に亘って延びる一対の折り曲げ容易線１５とを有する。第２蓋外フラップ４ｂは、スリット１４ａを介して凸部１４の幅方向外側に配置される一対の舌片１６を有する。折り曲げ容易線１５は、舌片１６の幅方向の両側に亘って延びている。また、第２蓋外フラップ４ｂは、スリット１４ａの先端に接続され、スリット１４ａと交差する方向に延びる破断防止用の切込み１７を有する。
【００３２】
一対のスリット１４ａは、第２蓋外フラップ４ｂの先端部を幅方向に略３等分するように配置されている。一対のスリット１４ａは、第２蓋外フラップ４ｂの延出方向と平行に延びている。スリット１４ａの長さは、凹部１３の深さＤよりも大きい。一対のスリット１４ａ同士の間隔は、凹部１３の幅以下とすることができる。凹部１３の幅と一対のスリット１４ａ同士の間隔との差の上限としては、１．０ｃｍが好ましく、０．７ｃｍがより好ましい。
【００３３】
折り曲げ容易線１５は、第２蓋外フラップ４ｂの幅方向と平行に延びている。一対の折り曲げ容易線１５同士は、同一仮想直線上に配置されている。
【００３４】
折り曲げ容易線１５は、例えばシートの片面を筋押しして形成された罫線や、シートの一方のライナーを切断したハーフカット線であってもよい。但し、折り曲げ容易線１５は、複数の切込みとシートの内面を筋押しして形成された複数の罫線とが交互に配置されたリード罫線であることが好ましい。この構成によると、凸部１４を第１蓋外フラップ４ａの内側により容易に挿入することができる。
【００３５】
切込み１７は、シートを厚さ方向に貫通した切断線である。切込み１７は、スリット１４ａと直交する方向に延びている。切込み１７の長さとしては、例えば３ｍｍ以上１ｃｍ以下とすることができる。当該箱用シート１０は、スリット１４ａの先端に、このスリット１４ａと交差する方向に延びる破断防止用の切込み１７が設けられていることによって、凸部１４を第１蓋外フラップ４ａの内側に挿入する際に、スリット１４ａに連続する部分が意図せず破断することを抑制することができる。
【００３６】
図３から図５を参照して、箱体２０における蓋部の組み立て手順を説明する。まず、一対の第１側面パネル１ａ、１ｂ及び一対の第２側面パネル２ａ、２ｂが四角筒状部に組み立てられた状態で、一対の蓋内フラップ３ａ、３ｂを内側に略９０°折り曲げ、一対の蓋内フラップ３ａ、３ｂの外面に第１蓋外フラップ４ａを折り重ね、さらに第１蓋外フラップ４ａの外面に第２蓋外フラップ４ｂを折り重ねる。
【００３７】
次に図３に示すように、凸部１４を内側に押し下げていく。この際、一対のスリット１４ａの中間部分から第２蓋外フラップ４ｂの側縁に向けて一対の折り曲げ容易線１５が延びていることで、凸部１４の押し下げの容易化を図ることができる。そして、図４に示すように、凸部１４を第１蓋外フラップ４ａの凹部１３を超えるまで押し込んだ後、凸部１４の押し込みを解除する。その結果、シートの反力によって凸部１４が外側に押し戻され、凸部１４が第１蓋外フラップ４ａの内面に当接し、図５に示す蓋部が組み立てられる。
【００３８】
図６に示すように、第２蓋外フラップ４ｂが第１蓋外フラップ４ａの外面側に折り重ねられた状態で、一対の折り曲げ容易線１５は、第１蓋外フラップ４ａの先端縁上に位置していることが好ましい。この構成によると、凸部１４を第１蓋外フラップ４ａの内側により容易に挿入することができる。
【００３９】
図５及び図７に示すように、第２蓋外フラップ４ｂが第１蓋外フラップ４ａの外面側に折り重ねられた状態における、第１蓋外フラップ４ａの先端縁（凹部１３が形成されていない部分の先端縁）とスリット１４ａの先端との間隔Ｌ２の下限としては、シート厚さの３倍が好ましく、シート厚さの４倍がより好ましい。一方、上記間隔Ｌ２の上限としては、シート厚さの７倍が好ましく、シート厚さの６倍がより好ましい。上記間隔Ｌ２が上記下限に満たないと、凸部１４を第１蓋外フラップ４ａの内側に挿入し難くなるおそれがある。また、凸部１４を第１蓋外フラップ４ａの内側に挿入しやすくするために、凹部１３の深さを大きくする必要が生じ、第１蓋外フラップ４ａの先端部を凸部１４と一対の舌片１６とで適切に挟み込み難くなるおそれがある。逆に、上記間隔Ｌ２が上記上限を超えると、第１蓋外フラップ４ａの先端部を、シートの反力を利用して凸部１４と一対の舌片１６とで十分に挟み込み難くなるおそれがある。
【００４０】
（底内フラップ）
一対の底内フラップ５ａ、５ｂはそれぞれ略矩形状である。一対の底内フラップ５ａ、５ｂは、一対の蓋内フラップ３ａ、３ｂと同一形状とすることができる。
【００４１】
（第１底外フラップ）
第１底外フラップ６ａは略矩形状である。第１底外フラップ６ａは、その先端縁に凹部２１を有する。第１底外フラップ６ａは、第１蓋外フラップ４ａと同一形状とすることができる。
【００４２】
（第２底外フラップ）
第２底外フラップ６ｂは略矩形状である。第２底外フラップ６ｂは、凹部２１内で第１底外フラップ６ａの内側に挿入される凸部２２を画定するようにその先端縁から基端側に延びる一対のスリット２２ａと、一対のスリット２２ａの中間部分から第２底外フラップ６ｂの側縁に亘って延びる一対の折り曲げ容易線２３と、スリット２２ａの先端に接続され、スリット２２ａと交差する方向に延びる破断防止用の切込み２４とを有する。第２底外フラップ６ｂは、第２蓋外フラップ４ｂと同一形状とすることができる。
【００４３】
＜利点＞
当該箱用シート１０は、第２蓋外フラップ４ｂが、その先端縁から基端側に延びる一対のスリット１４ａによって画定される凸部１４を有している。つまり、第２蓋外フラップ４ｂには、凸部１４と、一対のスリット１４ａを介して凸部１４の両側に配置される一対の舌片１６とが設けられている。当該箱用シート１０は、凸部１４を第１蓋外フラップ４ａの先端縁に設けられている凹部１３内で第１蓋外フラップ４ａの内側に挿入することで、箱体２０の蓋部を形成することができる。この際、当該箱用シート１０は、第２蓋外フラップ４ｂが、凸部１４の両側に一対の舌片１６を有しているので、第１蓋外フラップ４ａの先端部を凸部１４と一対の舌片１６とで挟み込むことができる。また、当該箱用シート１０は、第２蓋外フラップ４ｂが、一対のスリット１４ａの中間部分から第２蓋外フラップ４ｂの側縁に亘って延びる一対の折り曲げ容易線１５を有しているので、凸部１４を第１蓋外フラップ４ａの内側に挿入する際に、舌片１６が凸部１４の挿入の妨げになり難い。従って、当該箱用シート１０は、封函テープを用いることなく箱体２０の蓋部を容易かつ確実に形成することができる。
【００４４】
当該箱用シート１０は、第１底外フラップ６ａが第１蓋外フラップ４ａと同一形状とされ、第２底外フラップ６ｂが第２蓋外フラップ４ｂと同一形状とされているので、箱体２０の底部を、蓋部と同様に容易かつ確実に形成することができる。
【００４５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４６】
例えば当該箱用シートは、箱体の蓋部に組み立てられる蓋フラップ及び箱体の底部に組み立てられる底フラップの一方のみが上述の構成を有していればよい。
【００４７】
上記スリットの先端には、このスリットと交差する方向に延びる破断防止用の切込みは設けられていなくてもよい。
【００４８】
上記一対の第１側面パネル及び上記一対の第２側面パネルには、箱体を２つのトレイに分割するための破断容易線は設けられていなくてもよい。
【産業上の利用可能性】
【００４９】
以上のように、本考案の一態様に係る箱用シートは、箱体の蓋部又は底部の組み立ての容易化を図るのに適している。
【符号の説明】
【００５０】
１ａ、１ｂ  第１側面パネル
２ａ、２ｂ  第２側面パネル
３ａ、３ｂ  蓋内フラップ
４ａ  第１蓋外フラップ
４ｂ  第２蓋外フラップ
５ａ、５ｂ  底内フラップ
６ａ  第１底外フラップ
６ｂ  第２底外フラップ
７  継代
１０  箱用シート
１１ａ、１１ｂ、１２ａ、１２ｂ  破断容易線
１３  凹部
１４  凸部
１４ａ  スリット
１５  折り曲げ容易線
１６  舌片
１７  切込み
２０  箱体
２１  凹部
２２  凸部
２２ａ  スリット
２３  折り曲げ容易線
２４  切込み
Ｄ  凹部の深さ
Ｌ１  第１蓋外フラップの基端縁と凹部との間隔
Ｌ２  第２蓋外フラップが第１蓋外フラップの外面側に折り重ねられた状態における、第
１蓋外フラップの先端縁とスリットの先端との間隔
【図１】
0003233894.tif 000003
【図２】
0003233894.tif 000004
【図３】
0003233894.tif 000005
【図４】
0003233894.tif 000006
【図５】
0003233894.tif 000007
【図６】
0003233894.tif 000008
【図７】
0003233894.tif 000009